(57)【要約】      （修正有）【課題】過渡応答の間に増幅器から出力された信号を用いて周波数オフセットを算出した場合には、受信信号の本来の周波数とは異なる周波数を用いて算出されことで誤差が含まれるため、周波数オフセットを算出する際の精度向上を可能とする。【解決手段】受信電力が所定の値より大きいか否かを判定する判定部と、受信した信号に含まれるシンボルのうち、時系列に並んだ複数のシンボルを用いて周波数オフセットを算出する周波数オフセット算出部と、を備え、前記周波数オフセット算出部は、前記判定部により前記受信電力が所定の値より大きくないと判定した場合には、第１の複数シンボルにて周波数オフセットを算出し、前記判定部により前記受信電力が所定の値より大きいと判定された場合には、第１の複数シンボルの数よりも少ない第２の複数シンボルにて周波数オフセットを算出する。【選択図】図６
2012010208.tif 000002
【特許請求の範囲】
【請求項１】
他の通信装置から信号を受信する受信部と、
受信した信号の受信電力を算出する受信電力算出部と、
前記受信電力算出部にて算出された受信電力が所定の値より大きいか否かを判定する判定部と、
受信した信号に含まれるシンボルのうち、時系列に並んだ複数のシンボルを用いて周波数オフセットを算出する周波数オフセット算出部と、
前記周波数オフセット算出部にて算出された周波数オフセットに基づいて、受信信号を補正する補正部と、を備え、
前記周波数オフセット算出部は、前記判定部により前記受信電力が所定の値より大きくないと判定した場合には、第１の複数シンボルにて周波数オフセットを算出し、前記判定部により前記受信電力が所定の値より大きいと判定された場合には、第１の複数シンボルの数よりも少ない第２の複数シンボルにて周波数オフセットを算出すること、
を特徴とする通信装置。
【請求項２】
周波数オフセット算出部にて算出された周波数オフセットを用いて、信号電力対雑音電力比を算出する算出部を更に備え、
前記判定部は、更に、前記第１の複数シンボルを用いて算出された信号電力対雑音電力比が、前記第２の複数シンボルを用いて算出された信号電力対雑音電力比よりも大きいか否かを判定し、
前記補正部は、前記判定部により、前記第１の複数シンボルを用いて算出された信号電力対雑音電力比が、前記第２の複数シンボルを用いて算出された信号電力対雑音電力比よりも小さいと判定された場合には、前記第２の複数のシンボルを用いて算出された周波数オフセットを用いて受信信号を補正すること、
を特徴とする請求項１に記載の通信装置。
【請求項３】
前記第２の複数シンボルは、前記第１の複数シンボルのうち、少なくとも先頭のシンボルを除いたシンボルにて構成されていること、
を特徴とする請求項１又は請求項２に記載の通信装置。
【請求項４】
受信した信号を増幅する増幅部を更に備え、
前記第２の複数シンボルは、前記第１の複数シンボルのうち、前記増幅部における過渡応答間のシンボルを除いたシンボルであることを特徴とする請求項１又は請求項２に記載の通信装置。
【発明の詳細な説明】
【技術分野】
【０００１】
本発明は、受信した信号から周波数オフセットを算出する通信装置において、周波数オフセットを算出する際の過渡応答の影響を低減させることに関する。
【背景技術】
【０００２】
携帯電話等に代表される無線通信端末が普及し、場所や時間を問わず通話や情報入手が可能となった。特に昨今では、入手可能な情報量も増加の一途を辿り、大容量のデータをダウンロードするため高速かつ高品質な無線通信方式が取り入られるようになってきている。
【０００３】
近年、このような無線通信方式では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式が採用されている。かかるＯＦＤＭは、多重化方式の一つに分類され、単に時間軸上で多数の搬送波を利用し、変調対象となる信号波の位相が隣り合う搬送波間で直交するように搬送波間で直交するように搬送波の帯域を一部重ね合わせて周波数帯域を有効利用する方式である。
【０００４】
また、ＯＦＤＭが個別のユーザ毎に時分割でサブチャネルを割り当てているのに対して、複数のユーザが全サブチャネルを共有し、各ユーザにとって最も伝送効率のよいサブチャネルを割り当てるＯＦＤMA（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多元接続）方式も提供されている。このようなＯＦＤＭＡ方式等により適切な搬送波を通じた無線通信が遂行される。
【０００５】
例えば、無線通信端末と基地局との間では互いに取り決められた搬送波によって通信が確立される。しかし、無線通信端末が基地局に対して近づいたり遠ざかったりした場合、その移動速度分ドップラー効果が生じて搬送波の周波数がシフトする。このように無線通信端末の移動によるドップラー効果で周波数が変化する現象をドップラーシフトと称する。
【０００６】
また、基地局や無線通信端末に組み込まれた電子回路が、周辺環境からさまざまな影響を受けることにより搬送波周波数がシフトすることがある。これらドップラーシフトを含んだ周波数のシフトを周波数オフセットと呼ぶ。
【０００７】
ＯＦＤＭＡ方式の場合、無線通信端末が送信した搬送波に周波数オフセットが発生すると位相の直交性が崩れて隣接するサブチャネルが干渉し合い、また、コンスタレーションが回転することにより、復調が困難になる問題があった。この問題を解決するために、周波数オフセット量を検出して無線通信端末が送信する搬送波をその周波数オフセット量分だけ自動周波数調整（ＡＦＣ：Ａｕｔｏ  Ｆｒｅｑｕｅｎｃｙ  Ｃｏｎｔｒｏｌ、以下単にＡＦＣという。）する技術も知られている（例えば、特許文献１）。
【先行技術文献】
【特許文献】
【０００８】
【特許文献１】特開２００８−１１３２４１号公報
【特許文献２】特開２００７−３２５０８０号公報
【発明の概要】
【発明が解決しようとする課題】
【０００９】
一方で、特許文献２に記載されているように、受信した信号の増幅率を増幅器にて制御する場合に、増幅器の増幅率が定常的な値になるまでに時間を要すること（過渡応答）が知られている。そのため、増幅器の過渡応答では、当該増幅器の出力信号が安定した値になるまでに時間を要する。従って、当該増幅器の動作が安定するまでは当該増幅器の出力信号が安定しないため、過渡応答の間に出力される信号は、受信信号の本来の周波数とは異なる周波数の信号が当該増幅器から出力されてしまう。
【００１０】
そのため、過渡応答の間に増幅器から出力された信号を用いて周波数オフセットを算出した場合には、受信信号の本来の周波数とは異なる周波数にて算出されるため、算出された周波数オフセットには誤差が含まれる。これにより、周波数オフセットを精度よく算出できないので、復調の精度を上げることができない虞がある。
【００１１】
従って、本願発明は、受信した信号から周波数オフセットを算出する受信装置において、周波数オフセットを算出する際の過渡応答の影響を低減させることを目的とする。
【課題を解決するための手段】
【００１２】
上記課題を解決するために、本発明に係る通信装置は、他の通信装置から信号を受信する受信部と、受信した信号の受信電力を算出する受信電力算出部と、前記受信電力算出部にて算出された受信電力が所定の値より大きいか否かを判定する判定部と、受信した信号に含まれるシンボルのうち、時系列に並んだ複数のシンボルを用いて周波数オフセットを算出する周波数オフセット算出部と、前記周波数オフセット算出部にて算出された周波数オフセットに基づいて、受信信号を補正する補正部と、を備え、前記周波数オフセット算出部は、前記判定部により前記受信電力が所定の値より大きくないと判定した場合には、第１の複数シンボルにて周波数オフセットを算出し、前記判定部により前記受信電力が所定の値より大きいと判定された場合には、第１の複数シンボルの数よりも少ない第２の複数シンボルにて周波数オフセットを算出すること、を特徴とする。
【発明の効果】
【００１３】
上記構成を備えることにより、受信した信号から周波数オフセットを算出する通信端末において、周波数オフセットを算出する際の過渡応答の影響を低減させることができる。
【図面の簡単な説明】
【００１４】
【図１】本実施の形態における通信システムのフレーム構成を示す図である。
【図２】無線リソースのデータフォーマットを示す図である。
【図３】本実施の形態に係る通信装置１００の構成を示すブロック図である。
【図４】本実施の形態に係る無線部３００の構成を示すブロック図である。
【図５】本実施の形態に係る制御部２００の構成を示すブロック図である。
【図６】本実施の形態に係る通信装置１００の動作を示すフローチャートである。
【図７】増幅部３０１から出力される信号の周波数偏差に関する特性図である。
【図８】受信電力と周波数オフセットとの関係を示す特性図である。
【発明を実施するための形態】
【００１５】
以下、本発明の実施の形態に係る通信装置１００について説明する。本実施の形態に係る通信装置１００は、ＯＦＤＭＡ方式を用いて通信する通信装置であって、ＴＤＭＡ／ＴＤＤ（Ｔｉｍｅ  Ｄｉｖｉｓｉｏｎ  Ｍｕｌｔｉｐｌｅ  Ａｃｃｅｓｓ／Ｔｉｍｅ  Ｄｉｖｉｓｉｏｎ  Ｄｕｐｌｅｘｉｎｇ）方式で複数の通信端末と通信を行う。
【００１６】
〔本実施例の概要〕
最初に、本実施例における通信装置１００の概要について説明する。
【００１７】
信号の受信電力が大きい場合には、増幅部３０１で発生する過渡応答期間の周波数偏差が大きい可能性がある。その場合には、受信信号の先頭区間のシンボルは過渡応答の影響を受けているため、周波数オフセットを算出するには適していないシンボルである。
【００１８】
従って、本実施例における通信装置１００は、受信した信号における周波数オフセットを算出する場合に、受信した信号の受信電力値が所定の値より大きいか否かに応じて、周波数オフセットを算出するのに使用するシンボルの中に、先頭のシンボルを含めるか否かを判断することを特徴としている。
【００１９】
これにより、過渡応答の影響が想定される場合には、過渡応答の影響を受けているシンボルを用いないので、周波数オフセットの算出精度を向上させることができる。
尚、詳細については、後述する。
【００２０】
〔本実施の形態における通信システムのフレーム構成〕
通信装置１００の構成、動作等を説明する前に、本実施の形態における通信システムのフレーム構成を図１及び図２を用いて説明する。
【００２１】
本実施の形態における通信システムでは、１フレーム５ｍｓｅｃの期間に、アップリンク（ＵＬ）とダウンリンク（ＤＬ）とで、それぞれ２．５ｍｓｅｃずつ時分割され、またＵＬ及びＤＬは、それぞれ４つのタイムスロットに分割されている。
【００２２】
ここで、図１には、各タイムスロットが9個のサブチャネルで構成される場合のフレー
ム構成を示す。
【００２３】
すなわち、図１に示すように、ＵＬは、スロット１〜スロット４の４つに分割され、各スロットは、サブチャネル１〜サブチャネル９の９個のサブチャネルで構成されている。ここで、１つのスロットの中での１つのサブチャネルを、ＰＲＵ（Ｐｈｙｓｉｃａｌ  Ｒｅｓｏｕｒｃｅｓ  Ｕｎｉｔ）又は無線リソースと呼称する。
【００２４】
図１に示されるように、ＵＬにおいては、スロット１のサブチャネル１をＰＲＵ１と呼称し、スロット２のサブチャネル１をＰＲＵ２と呼称し、以後、ユニット番号を１つずつインクリメントしながらユニット番号が割り当てられ、サブチャネル２においてはＰＲＵ５から始まってＰＲＵ８までが割り当てられている。以下、スロット１〜スロット４について同様の規則でユニット番号が割り当てられ、ＰＲＵ１〜ＰＲＵ３６まで３６個のＰＲＵでアップリンクフレームが構成されている。なお、ダウンリンクについても同様にユニット番号が割り当てられているが、図示は省略している。
【００２５】
各ＰＲＵは、２４個のサブキャリア、１９個のＯＦＤMシンボルで構成されている。図
２にはＰＲＵのデータフォーマットを示す。
【００２６】
図２において、縦方向にはＦ１〜Ｆ２４で示されるサブキャリアを、横方向にはＳ１〜Ｓ１９で示されるＯＦＤMシンボルを示している。サブキャリアのうちＦ１およびＦ１３
におけるシンボルＳ１〜Ｓ１９は、ヌルシンボルであり、ＤＣキャリアやガードインターバルとして使用される。サブキャリアＦ３、Ｆ７、Ｆ１１、Ｆ１５、Ｆ１９及びＦ２４のそれぞれにおけるシンボルＳ５、Ｓ９、Ｓ１３およびＳ１７がパイロットシンボルとして使用される。サブキャリアＦ２〜Ｆ１２、Ｆ１４〜Ｆ２４におけるシンボルＳ１がトレーニングシンボルとして使用される。それ以外のシンボルがデータシンボルとして使用される。
【００２７】
〔通信装置の構成〕
図３は、本実施の形態に係る通信装置１００の構成を示すブロック図である。図３に示
すように、記憶部４００、アンテナ５００、無線部３００、制御部２００によって構成されている。
【００２８】
記憶部４００は、ＲＯＭ、ＲＡＭ、ＥＥＰＲＯＭ、不揮発性ＲＡＭ、フラッシュメモリ、ＨＤＤ等で構成され、後述する制御部２００で処理されるプログラム等を記憶する。また、記憶部４００には、後述する受信電力比較部２０３が受信電力を比較する際に用いる受信電力の値を記憶している。
【００２９】
無線部３００は、アンテナ５００を介して受信した信号を処理する機能と、通信が確立している通信端末に対して、送信すべきデータを処理した後にアンテナを介して送信する機能とを有する。具体的には、無線部３００は、図４に示すようなブロック図にて構成される。
【００３０】
受信した信号を処理する機能は、増幅部３０１、周波数変換部３０２、Ａ／Ｄ変換部３０３、増幅制御部３１３、直交検波部３０４、ＧＩ除去部３０５、ＤＦＴ部３０６により構成されている。
【００３１】
増幅部３０１は、アンテナ５００を介して受信されたＯＦＤＭ信号を増幅して出力する。また、増幅部３０１における増幅率は、増幅制御部３１３からの制御に基づいて制御される。
【００３２】
増幅制御部３１３は、後述するＡ／Ｄ変換部３０３からの出力に基づいて、増幅部３０１の増幅率を制御する機能を有する。
【００３３】
ここで図７を用いて、増幅部３０１からの出力信号について、時間変化特性を説明する。図７は、アンテナ５００を介して信号を受信した場合に、増幅部３０１から出力される信号の周波数偏差の時間変化特性を示す図である。図７において、横軸は、時間をＯＦＤＭシンボルの数で表したものであり、縦軸は、増幅部３０１の出力信号の周波数についての、本来の値に対する相対的なずれ量（周波数偏差）を示している。
【００３４】
図７に示されるように、アンテナ５００を介して信号の受信を開始した直後では、増幅部３０１からの出力信号の周波数はプラス側に大きくずれる。その後、増幅制御部３１３の制御により、増幅部３０１の出力信号の周波数は、一度マイナス側にずれた後に、本来の値に近づくようになる。図７の例では、増幅部３０１は４シンボルまで過渡応答しており、４シンボルよりも後では、周波数偏差が所定範囲内に収まっており、増幅部３０１は安定動作している。
【００３５】
また、増幅部３０１から最初に出力される信号の周波数偏差の大きさは、アンテナ５００を介して信号を受信した際の受信電力によって変化する。例えば、受信電力が小さいほど周波数偏差は小さく、受信電力が大きいほど周波数偏差が大きくなる。
【００３６】
周波数変換部３０２は、増幅部３０１から出力されるＯＦＤＭ信号に対してダウンコンバートを行って、ベースバンドのＯＦＤM信号をＡ／Ｄ変換部３０３に出力する。
【００３７】
Ａ／Ｄ変換部３０３は、周波数変換部３０２からの出力信号をアナログ形式からデジタル形式に変換する。Ａ／Ｄ変換部３０３は、変換した信号を増幅制御部３１３、及び直交検波部３０４に出力する。
【００３８】
直交検波部３０４は、Ａ／Ｄ変換部３０３から出力されるデジタル形式のＯＦＤＭ信号に対して直交検波を行い、ＯＦＤM信号のＩ（Ｉｎｐｈａｓｅ）成分（同相成分）及びＱ
（Ｑｕａｄｒａｔｕｒｅ）成分（直交成分）を出力する。
【００３９】
ＧＩ除去部３０５は、直交検波部３０４から出力されるＩ成分及びＱ成分に含まれるガードインタバル（ＧＩ）を除去し、ＧＩを除去したＩ成分及びＱ成分を出力する。
【００４０】
ＤＦＴ部３０６は、ＧＩ除去部３０５から出力されるＩ成分及びＱ成分から成るＯＦＤM信号に対して離散フーリエ変換を行う。ＤＦＴ部３０６は、離散フーリエ変換を行うこ
とにより、アンテナで受信されたＯＦＤＭ信号に含まれる複数のサブキャリアをそれぞれ複素シンボルとして制御部２００に出力する。
【００４１】
アンテナを介して送信する機能は、ＩＤＦＴ部３０７、ＧＩ挿入部３０８、直交変調部３０９、Ｄ／Ａ変換部３１０、周波数変換部３１１、増幅部３１２によって構成されている。
【００４２】
ＩＤＦＴ部３０７は、制御部２００から入力されるＩ成分及びＱ成分から成る変調シンボル列に対して逆離散フーリエ変換（ＩＤＦＴ：Ｉｎｖｅｒｓｅ  ＤＦＴ）を行う。これにより、ＩＤＦＴ部３０７では、変調されたシンボル列を構成する複数の複素シンボルで変調された複数のサブキャリアが合成されたベースバンドのＯＦＤM信号が得られる。
【００４３】
ＧＩ挿入部３０８は、ＩＤＦＴ部３０７で得られたＯＦＤM信号のＩ成分及びＱ成分の
それぞれに対してガードインターバルを挿入し、ガードインターバル挿入後のＩ成分及びＱ成分を出力する。
【００４４】
直交変調部３０９は、入力されるＩ成分及びＱ成分を合成して１つのＯＦＤＭ信号を生成し、それをＤ／Ａ変換部３１０に入力する。
【００４５】
Ｄ／Ａ変換部３１０は、入力されたデジタル形式の信号をアナログ形式の信号に変換する。Ｄ／Ａ変換部３１０から出力されるアナログ形式のＯＦＤM信号は、周波数変換部３
１１に入力される。
【００４６】
周波数変換部３１１は、入力されたＯＦＤＭ信号に対してアップコンバートを行い、搬送帯域のＯＦＤＭ信号を生成する。生成された信号は、増幅部３１２に出力される。
【００４７】
増幅部３１２は、周波数変換部３１１で生成された搬送帯域のＯＦＤＭ信号を増幅して、アンテナ５００に入力する。これにより、送信すべき信号が、アンテナ５００から送信される。
【００４８】
次に、制御部２００の動作を説明する。制御部２００は、例えばＣＰＵやＤＳＰ等を含んで構成されており、記憶部４００に記憶されているプログラムを実行する機能を有する。また、制御部２００は、図５で示すように、受信電力比較部２０３、周波数オフセット算出部２０１、及び周波数オフセット補正部２０２を含んで構成される。
【００４９】
受信電力比較部２０３は、アンテナ５００を介して信号を受信した場合に、受信した信号の受信電力値を算出し、算出した受信電力が所定の値より大きいか否かを比較する。受信電力比較部２０３は、比較した結果を周波数オフセット算出部２０１に出力する。
【００５０】
周波数オフセット算出部２０１は、受信電力比較部２０３からの出力と、ＤＦＴ部３０６から出力された信号とに基づいて各ＰＲＵにおける周波数オフセットを算出する。周波数オフセットは、図２におけるトレーニングシンボルとパイロットシンボルとを用いて算出される。しかしながら、１つのＰＲＵには１ユーザが割り当てられているので、Ｆ３、Ｆ７、Ｆ１１、Ｆ１５、Ｆ１９、Ｆ２３のうち、どれか一つ又は複数のサブキャリアにおけるトレーニングシンボルとパイロットシンボルを用いて算出することで周波数オフセットを算出できる。本実施例においては、Ｆ３を用いて周波数オフセットを算出するものとする。次に、周波数オフセット算出部２０１における具体的な動作を説明する。
【００５１】
周波数オフセット算出部２０１は、受信した信号の受信電力値が所定の値以下の場合には、ＤＦＴ部３０６から信号が出力された際に、図２におけるＹ１〜Ｙ５のそれぞれのシンボルにおいて、Ｙ１〜Ｙ５のそれぞれのシンボルにおける参照シンボルからの偏角を算出する。そして、算出されたＹ１〜Ｙ５における参照シンボルからの偏角の平均値を算出することにより、周波数オフセットを算出する。
【００５２】
一方で、周波数オフセット算出部２０１は、受信した信号の受信電力値が所定の値より大きい場合には、ＤＦＴ部３０６から信号が出力された際に、図２におけるＹ２〜Ｙ５のそれぞれのシンボルにおいて、Ｙ２〜Ｙ５のそれぞれのシンボルにおける参照シンボルからの偏角を算出する。そして、算出されたＹ２〜Ｙ５における参照シンボルからの偏角の平均値を算出することにより、周波数オフセットを算出する。
【００５３】
つまり、周波数オフセット算出部２０１は、アンテナ５００を介して受信した信号の受信電力が所定の値より大きい場合には、Ｙ２〜Ｙ５のシンボルを用いて周波数オフセットを算出し、受信電力が所定の値以下の場合には、Ｙ１〜Ｙ５のシンボルを用いて周波数オフセットを算出する。
【００５４】
これにより、周波数オフセット算出部２０１は、受信した信号の受信電力が大きいために、受信した信号が増幅部３０１における過渡応答の影響を大きく受けていると想定される場合には、過渡応答の影響を受けた可能性の高い先頭シンボルを用いずに周波数オフセットを算出するので、周波数オフセットの算出精度を向上させることができる。
【００５５】
また、周波数オフセット算出部２０１は、受信した信号の受信電力が小さいために、受信した信号が増幅部３０１における過渡応答の影響をあまり受けていないと想定される場合には、先頭シンボルも用いて周波数オフセットを算出する。この場合に、周波数オフセットを算出するのに利用するシンボルの母数が増えることにより周波数オフセットの算出精度を向上させることができる。
【００５６】
周波数オフセット補正部２０２は、周波数オフセット算出部２０１により算出された周波数オフセットに基づいて、ＤＦＴ部３０６から出力された信号を補正する機能を有する。周波数オフセット補正部２０２により補正された信号は、その後所定の復調処理がなされる。
【００５７】
〔通信装置の動作〕
次に、図６を用いて、通信装置１００における周波数オフセットの算出処理を説明する。
【００５８】
アンテナ５００を介して信号の受信が開始された場合に、受信電力比較部２０３は、受信した信号の受信電力を算出する（Ｓ１）。そして、受信電力比較部２０３は、算出した受信電力が所定の値より大きいか否かを判定する（Ｓ２）。受信電力比較部２０３は、比較した結果を、周波数オフセット算出部２０１へ出力する。
【００５９】
周波数オフセット算出部２０１は、受信電力比較部２０３により、受信した信号の受信電力が所定の値より大きいと判定された場合には（Ｓ２におけるＹｅｓ）、周波数オフセットを算出するのに使用するシンボルのうち、先頭シンボルを除いたシンボルを使用して周波数オフセットを算出する（Ｓ３）。この場合に、具体的には、周波数オフセット算出部２０１は、周波数オフセットを算出するのに使用するＹ１~Ｙ５のシンボルのうち、Ｙ１を除くＹ２〜Ｙ５のシンボルを使用して周波数オフセットを算出する。
【００６０】
また、周波数オフセット算出部２０１は、受信電力比較部２０３により、受信した信号の受信電力が所定の値以下であると判定された場合には（Ｓ２におけるＮｏ）、周波数オフセットを算出するのに、Ｙ１〜Ｙ５のシンボルを用いて周波数オフセットを算出する（Ｓ４）。
【００６１】
そして、周波数オフセット補正部２０２は、算出された周波数オフセットに基づいて信号を補正する（Ｓ５）。
【００６２】
以上の動作により、周波数オフセット算出部２０１は、アンテナ５００を介して受信した信号の受信電力が所定の値より大きい場合には、Ｙ２〜Ｙ５のシンボルを用いて周波数オフセットを算出し、受信電力が所定の値以下の場合には、Ｙ１〜Ｙ５のシンボルを用いて周波数オフセットを算出する。
【００６３】
これにより、周波数オフセット算出部２０１は、受信した信号の受信電力が大きいために、受信した信号が増幅部３０１における過渡応答の影響を大きく受けていると想定される場合には、過渡応答の影響を受けた可能性が高い先頭シンボルを用いずに周波数オフセットを算出するので、周波数オフセットの算出精度を向上させることができる。
【００６４】
また、周波数オフセット算出部２０１は、受信した信号の受信電力が小さいために、受信した信号が増幅部３０１における過渡応答の影響をあまり受けていないと想定される場合には、先頭シンボルを用いて周波数オフセットを算出する。この場合に、周波数オフセットを算出するのに利用するシンボルの母数が増えることにより周波数オフセットの算出精度を向上させることができる。
【００６５】
〔その他の実施形態〕
（１）本実施の形態における所定の値は、実験データ等から設定することが可能である。本実施の形態における所定の値の設定方法について、図８を用いて説明する。図８は、通信装置１００の受信信号の周波数オフセットを２００Ｈｚに設定した場合における、受信信号の受信電力、Ｙ１〜Ｙ５を用いて算出した周波数オフセット、及びＹ２〜Ｙ５を用いて算出した周波数オフセットの関係を表した図である。図８において、横軸は受信信号の受信電力値、縦軸は、周波数オフセットの推定値となっている。
【００６６】
受信信号の受信電力が約１３ｄＢｕＶを超えた場合には、Ｙ２〜Ｙ５を用いて算出した周波数オフセットが、Ｙ１〜Ｙ５を用いて算出した周波数オフセットよりも、設定値である２００Ｈｚに近く、約１３ｄＢｕＶ以下の場合には、Ｙ１〜Ｙ５を用いて算出した周波数オフセットが、Ｙ２〜Ｙ５を用いて算出した周波数オフセットよりも、設定値である２００Ｈｚに近いのがわかる。つまり、Ｙ１のシンボルは、約１３ｄＢｕＶを超えた場合には増幅部３０１における過渡応答の影響を受け、歪んでいるのがわかる。そのため、この場合には、所定の値として、１３ｄＢｕＶと設定するのが望ましい。このように、受信電力と算出される周波数オフセットとの関係から、所定の値を決めることができる。
【００６７】
（２）本実施の形態では、周波数オフセット算出部２０１は、受信した信号の受信電力が所定の値より大きい場合には先頭シンボルを使用せずに周波数オフセットを算出したが、必ずしもこの場合だけに限られない。通信装置１００は、Ｙ１〜Ｙ５を用いて算出された周波数オフセットを使用して算出された信号電力対雑音電力比（以下、ＳＩＮRと称する
）と、Ｙ２〜Ｙ５を用いて算出された周波数オフセットを使用して算出されたＳＩＮＲとを比較し、この結果に応じて、Ｙ１〜Ｙ５を用いて算出された周波数オフセットを使用するのか、又はＹ２〜Ｙ５を用いて算出された周波数オフセットを使用するのかを判断してもよい。この場合に本実施の形態における通信装置は、信号電力対雑音電力比算出部を備
えることとなる。
【００６８】
具体的には、通信装置１００は、Ｙ１〜Ｙ５を用いて算出された周波数オフセットを使用して算出されたＳＩＮＲが、Ｙ２〜Ｙ５を用いて算出された周波数オフセットを使用して算出されたＳＩＮＲよりも小さい場合には、Ｙ２〜Ｙ５を用いて算出された周波数オフセットを使用し、一方で、Ｙ２〜Ｙ５を用いて算出された周波数オフセットを使用して算出されたＳＩＮＲが、Ｙ１〜Ｙ５を用いて算出された周波数オフセットを使用して算出されたＳＩＮＲよりも小さい場合には、Ｙ１〜Ｙ５を用いて算出された周波数オフセットを使用することとしてもよい。
【００６９】
（３）本実施の形態では、周波数オフセット算出部２０１は、受信電力が所定の値より大きい場合には、Ｙ１のシンボルを含まないことで算出したが、必ずしもこの場合に限られない。周波数オフセット算出部２０１は、受信電力が所定の値より大きい場合には、Ｙ１とＹ２のシンボル以外のシンボルを用いて周波数オフセットを算出することとしてもよい。
【００７０】
（４）本実施の形態における通信装置は、本実施の形態における通信システムに準じた通信装置に限られない。例えば通信装置は、次世代ＰＨＳ、ＬＴＥ（Ｌｏｎｇ  Ｔｅｒｍ  Ｅｖｏｌｕｔｉｏｎ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等のＯＦＤＭＡ方式を備えた通信システムに準じていてもよい。また、本発明は、ＬＴＥやＷｉＭＡＸで使用される基地局や通信端末にも適用することができる。
【符号の説明】
【００７１】
２００  制御部
２０１  周波数オフセット算出部
２０２  周波数オフセット補正部
２０３  受信電力比較部
３００  無線部
３０１  増幅部
３０２  周波数変換部
３０３  Ａ／Ｄ変換部
３０４  直交検波部
３０５  ＧＩ除去部
３０６  ＤＦＴ部
４００  記憶部
５００  アンテナ
【図１】
2012010208.tif 000003
【図２】
2012010208.tif 000004
【図３】
2012010208.tif 000005
【図４】
2012010208.tif 000006
【図５】
2012010208.tif 000007
【図６】
2012010208.tif 000008
【図７】
2012010208.tif 000009
【図８】
2012010208.tif 000010